(57)【要約】【課題】磁気カードを不正に入手した者を正規の者と認証することをより確実に防止できるようにした個人認証システムを提供することである。【解決手段】ＩＤ情報の記録された複数の記録領域を有する磁気カード（２０）のいずれかの記録領域から磁気カードリーダ（１１）が読み取ったＩＤ情報を取得するＩＤ情報取得手段（１２、Ｓ１）と、ＩＤ情報の読み取られた記録領域が前記複数の記録領域のいずれであるかを検出する記録領域検出手段（１２、Ｓ１）と、磁気カード（２０）の読取り操作を行う者の身体的特徴量を検出する身体的特徴量検出手段（１２、１５）と、前記検出された身体的特徴量と記録領域との対応関係が登録対応関係に合致するか否かを判定する判定手段（１２）とを有し、前記判定手段（１２）での判定結果と前記取得されたＩＤ情報とに基づいて個人認証を行うように構成される。【選択図】　図１
2004145438.tif 000002
【特許請求の範囲】
【請求項１】
磁気カードリーダと、
ＩＤ情報の記録された複数の記録領域を有する磁気カードのいずれかの記録領域から前記磁気カードリーダが読み取ったＩＤ情報を取得するＩＤ情報取得手段と、
ＩＤ情報の読み取られた記録領域が前記複数の記録領域のいずれであるかを検出する記録領域検出手段と、
磁気カードの読取り操作を行う者の身体的特徴量を検出する身体的特徴量検出手段と、
予め定められた身体的特徴量と磁気カードの記録領域との対応関係である登録対応関係を格納する登録対応関係格納手段と、
前記身体的特徴量検出手段にて検出された身体的特徴量と記録領域との対応関係が前記登録対応関係格納手段に格納された登録対応関係に合致するか否かを判定する判定手段とを有し、
前記判定手段での判定結果と前記ＩＤ情報取得手段にて取得されたＩＤ情報とに基づいて個人認証を行うようにしたことを特徴とする個人認証システム。
【請求項２】
前記身体的特徴量検出手段にて検出された身体的特徴量と記録領域との関係が前記登録対応関係と合致するとの判定が前記判定手段にてなされたときに、前記ＩＤ情報取得手段にて取得されたＩＤ情報に基づいて個人認証を行うようにしたことを特徴とする請求項１記載の個人認証システム。
【請求項３】
前記登録関係格納手段は、前記登録対応関係を、登録ＩＤ情報に対応させて複数種類格納し、
前記ＩＤ情報取得手段にて取得されたＩＤ情報が登録ＩＤ情報に一致するか否かを判定するＩＤ判定手段を有し、
前記取得されたＩＤ情報が登録ＩＤ情報に一致するとの判定がＩＤ判定手段にてなされたときに、前記取得されたＩＤ情報に一致する登録ＩＤ情報に対応した種類の登録対応関係を前記判定手段が用いるようにしたことを特徴とする請求項１記載の個人認証システム。
【請求項４】
前記身体的特徴量検出手段は、磁気カードの読取り操作を行う者の重量を身体的特徴量として検出するようにし、
予め定められた重量と記録領域との対応関係を登録対応関係として用いるようにしたことを特徴とする請求項１乃至３のいずれかに記載の個人認証システム。
【請求項５】
前記記録領域検出手段は、ＩＤ情報と共に記録領域特定情報の記録された複数の記録領域を有する磁気カードのいずれかの記録領域から磁気カードリーダがＩＤ情報と共に読み取った記録領域特定情報に基づいてＩＤ情報の読み取られた記録領域が前記複数の記録領域のいずれであるかを検出するようにしたことを特徴とする請求項１乃至４のいずれかに記載の個人認証システム。
【請求項６】
前記ＩＤ情報取得手段は、磁気カードの両面に形成された複数の記録領域のいずれかの記録領域から磁気カードリーダが読み取ったＩＤ情報を取得するようにしたことを特徴とする請求項１乃至５のいずれかに記載の個人認証システム。
【請求項７】
前記ＩＤ情報取得手段は、矩形状の磁気カードの表面の４辺のうちの２辺以上の辺に沿って形成された２以上の磁気ストライプのいずれかの磁気ストライプから磁気カードリーダが読み取ったＩＤ情報を取得するようにしたことを特徴とする請求項１乃至５のいずれかに記載の個人認証システム。
【請求項８】
前記ＩＤ情報取得手段は、矩形状の磁気カードの両面の４辺に沿って形成された８つの磁気ストライプのいずれかの磁気ストライプから磁気カードリーダが読み取ったＩＤ情報を取得するようにしたことを特徴とする請求項１乃至５のいずれかに記載の個人認証システム。
【請求項９】
ＩＤ情報の記録された複数の記録領域を有する磁気カードのいずれかの記録領域から磁気カードリーダが読み取ったＩＤ情報を取得するＩＤ情報取得手順と、
ＩＤ情報の読み取られた記録領域が前記複数の記録領域のいずれであるかを検出する記録領域検出手順と、
磁気カードの読取り操作を行う者の身体的特徴量を検出する身体的特徴量検出手順と、
前記身体的特徴量検出手順にて検出された身体的特徴量と記録領域との対応関係が予め定められた身体的特徴量と磁気カードの記録領域との対応関係である登録対応関係に合致するか否かを判定する判定手順とを有し、
前記判定手順での判定結果と前記ＩＤ情報取得手順にて取得されたＩＤ情報とに基づいて個人認証を行うようにしたことを特徴とする個人認証方法。
【請求項１０】
前記身体的特徴量検出手段にて検出された身体的特徴量と記録領域との関係が前記登録対応関係と合致するとの判定が前記判定手順にてなされたときに、前記ＩＤ情報取得手順にて取得されたＩＤ情報に基づいて個人認証を行うようにしたことを特徴とする請求項９記載の個人認証方法。
【請求項１１】
前記登録対応関係が、登録ＩＤ情報に対応させて複数種類用意され、
前記ＩＤ情報取得手順にて取得されたＩＤ情報が登録ＩＤ情報に一致するか否かを判定するＩＤ判定手順を有し、
前記取得されたＩＤ情報が登録ＩＤ情報に一致するとの判定が前記ＩＤ判定手順にてなされたときに、前記取得されたＩＤ情報に一致する登録ＩＤ情報に対応した種類の登録対応関係を前記判定手順にて用いるようにしたことを特徴とする請求項９記載の個人認証方法。
【請求項１２】
請求項１乃至８のいずれかに記載の個人認証システムと、
前記個人認証システムにおける個人認証の結果に応じて、施錠された錠を解錠するか否かを制御する制御手段とを有することを特徴とするセキュリティシステム。
【請求項１３】
磁気カードリーダにてＩＤ情報の読取りのなされる磁気カードであって、
同一のＩＤ情報が記録され、前記磁気カードリーダにて前記ＩＤ情報の読取り可能な複数の記録領域を有することを特徴とする磁気カード。
【請求項１４】
両面に複数の記録領域が形成されたことを特徴とする請求項１３記載の磁気カード。
【請求項１５】
矩形状となり、前記複数の記録領域が、表面の４辺のうちの２辺以上の辺に沿って形成された磁気ストライプとなることを特徴とする請求項１３記載の磁気カード。
【請求項１６】
矩形状となり、前記複数の記録領域が、両面の４辺に沿って形成された８つの磁気ストライプとなることを特徴とする請求項１３記載の磁気カード。
【請求項１７】
前記複数の記録領域のそれぞれに記録領域を特定するための情報が前記ＩＤ情報と共に記録されたことを特徴とする請求項１５乃至１５のいずれかに記載された磁気カード。
【発明の詳細な説明】
【０００１】
【発明の属する技術分野】
本発明は、磁気カードから磁気カードリーダによりＩＤ情報を読取り、そのＩＤ情報に基づいて個人認証を行うようにした個人認証システム及び方法に関する。
【０００２】
また、本発明は、そのような個人認証システムを用いたセキュリティシステムに関する。
【０００３】
更に、本発明は、そのような個人認証システムに適用することが可能な磁気カードに関する。
【０００４】
【従来の技術】
従来、部屋の入退出管理や機器の使用管理等に磁気カードを利用した個人認証システムが用いられている。このような個人認証システムでは、磁気カードの所持者がその磁気カードに記録されたＩＤ情報を磁気カードリーダに読み取らせ、その磁気カードリーダによって読み取られたＩＤ情報が予め登録されたＩＤ情報と一致する場合に、その磁気カードの所持者が正規の者として認証される。
【０００５】
例えば、このような個人認証システムを施錠されたドアの解錠制御を行うセキュリティシステムに利用することができる。このようなセキュリティシステムでは、磁気カードの所持者が前記個人認証システムにて正規の者として認証された場合に限り、施錠されたドアの解錠がなされる。従って、正規のカードを所持していない者ではその施錠されたドアの解錠を行うことができない。これにより、ドア内の空間の人的セキュリティを保つことができる。
【０００６】
しかし、前述したような個人認証システムでは、磁気カードから読み取られたＩＤ情報が予め登録されたＩＤ情報と一致すればその磁気カードの所持者は必ず正規の者として認証されるので、その磁気カードを不正に入手した者であっても正規の者として認証されてしまう。そのような欠点を解決するために、磁気カードの近傍にテンキーユニットを併設しておき、磁気カードリーダによって磁気カードから読み取られた前記ＩＤ情報及びテンキーユニットから入力された暗証番号の双方のチェックを行って個人認証を行うシステムが提案されている（例えば、特許文献１）。このようなシステムでは、磁気カードを不正に入手した者は、その暗証番号を知らなければ、正規の者として認証されない。
【０００７】
【特許文献１】
特開平６−５２２３２号公報
【０００８】
【発明が解決しようとする課題】
しかし、このような個人認証システムでは、正規の磁気カード所有者による暗証番号の入力操作が盗み見され、その暗証番号が不正に他人に知られてしまうおそれがある。そのように暗証番号を不正に知った者が更にその磁気カードを不正に入手すると、その者は、不正に入手した磁気カードを用いると共に不正に知った暗証番号の入力操作を行うことによって、正規の者として認証されてしまうという問題がある。
【０００９】
そこで、本発明は、前述したような問題を解決するためになされたもので、磁気カードを不正に入手した者を正規の者と認証することをより確実に防止できるようにした個人認証システム及び方法を提供するものである。
【００１０】
また、本発明は、そのような個人認証システムが適用されるセキュリティシステムを提供するものである。
【００１１】
更に、本発明は、そのような個人認証システムに適用することができる磁気カードを提供するものである。
【００１２】
【課題を解決するための手段】
本発明に係る個人認証システムは、磁気カードリーダと、ＩＤ情報の記録された複数の記録領域を有する磁気カードのいずれかの記録領域から前記磁気カードリーダが読み取ったＩＤ情報を取得するＩＤ情報取得手段と、ＩＤ情報の読み取られた記録領域が前記複数の記録領域のいずれであるかを検出する記録領域検出手段と、磁気カードの読取り操作を行う者の身体的特徴量を検出する身体的特徴量検出手段と、予め定められた身体的特徴量と磁気カードの記録領域との対応関係である登録対応関係を格納する登録対応関係格納手段と、前記身体的特徴量検出手段にて検出された身体的特徴量と記録領域との対応関係が前記登録対応関係格納手段に格納された登録対応関係に合致するか否かを判定する判定手段とを有し、前記判定手段での判定結果と前記ＩＤ情報取得手段にて取得されたＩＤ情報とに基づいて個人認証を行うように構成される。
【００１３】
このような構成により、磁気カードを所有する者が予め定められた身体的特徴量と記録領域との対応関係（登録対応関係）で決まる自己の身体的特徴量に対応した磁気カードの記録領域からＩＤ情報を磁気カードリーダに読み取らせる操作を行うと、検出される操作を行った者の身体的特徴量とそのＩＤ情報の読取りがなされた記録領域との対応関係が前記登録対応関係に合致するとの判定がなされる。そして、その合致するとの判定結果と磁気カードリーダにより読み取られたＩＤ情報とに基づいてその操作を行った者の個人認証がなされる。この場合、例えば、前記読み取られたＩＤ情報が正規のＩＤ情報（登録ＩＤ情報）に一致していれば、その操作を行った者を正規の者として認証することができる。
【００１４】
一方、磁気カードを所有する者が予め定めた身体的特徴量と記録領域との対応関係（登録対応関係）で決まる自己の身体的特徴量に対応した磁気カードの記録領域以外の記録領域からＩＤ情報を磁気カードリーダに読み取らせる操作を行うと、検出される操作を行った者の身体的特徴量とそのＩＤ情報の読取りがなされた記録領域との対応関係が前記登録対応関係に合致しないとの判定がなされる。この場合、例えば、読み取られたＩＤ情報が正規のＩＤ情報（登録ＩＤ情報）に一致していたとしても、あるいは、前記読み取られたＩＤ情報が正規のＩＤ情報（登録ＩＤ情報）に一致しているか否かの判定を行うまでもなく、その操作を行った者を正規の者とする認証がなされないようにすることができる。
【００１５】
従って、予め定めた身体的特徴量と記録領域との対応関係（登録対応関係）で決まる自己の身体的特徴量に対応した磁気カードの記録領域を知っている者は、そのような記録領域からＩＤ情報を磁気カードリーダに読み取らせるように磁気カードの読取り操作を行うことにより、正規の者として認証され得る。一方、磁気カードを不正に入手した者は、前記登録対応関係にて決まる自己の身体的特徴量に対応した磁気カードの記録領域を知らないので、そのような記録領域からＩＤ情報を磁気カードリーダに読み取らせるように磁気カードの読取り操作を行うことができない。そのため、カードを不正に入手した者が前述したような記録領域以外の記録領域からＩＤ情報を読み取らせるように磁気カードの読取り操作を行うと、その者は、正規の者としての認証を受けることができない。
【００１６】
前記磁気カードの各記録領域に記録すべきＩＤ情報は、正規の者として認証されるべき者に与えられる情報であれば特に限定されず、個人毎に異なるものであっても、所定のグループごとに異なるものであっても、全ての個人に対して同一のものであってもよい。
【００１７】
前記身体的特徴量は、磁気カードの読取り操作を行う者の身体的特徴を量的に表すものであって、その者が認識でき、また、直接的または間接的に検出できるものであれば特に限定されない。例えば、重量、身長、足の大きさ、肩幅等を身体的特徴量として用いることができる。
【００１８】
本発明に係る個人認証システムは、前記身体的特徴量検出手段にて検出された身体的特徴量と記録領域との関係が前記登録対応関係と合致するとの判定が前記判定手段にてなされたときに、前記ＩＤ情報取得手段にて取得されたＩＤ情報に基づいて個人認証を行うように構成することができる。
【００１９】
このような構成により、前記判定手段での判定結果と前記ＩＤ情報取得手段にて取得されたＩＤ情報とに基づいた個人認証が可能となる。
【００２０】
また、本発明に係る個人認証システムは、前記登録関係格納手段が、前記登録対応関係を、登録ＩＤ情報に対応させて複数種類格納し、前記ＩＤ情報取得手段にて取得されたＩＤ情報が登録ＩＤ情報に一致するか否かを判定するＩＤ判定手段を有し、前記取得されたＩＤ情報が登録ＩＤ情報に一致するとの判定がＩＤ判定手段にてなされたときに、前記取得されたＩＤ情報に一致する登録ＩＤ情報に対応した種類の登録対応関係を前記判定手段が用いるように構成することができる。
【００２１】
このような構成により、前記判定手段での判定結果と前記ＩＤ情報取得手段にて取得されたＩＤ情報とに基づいた個人認証が可能となり、更に、登録ＩＤ情報毎に異なる種類の登録対応関係を用いて前記検出された身体的特徴量と記録領域との対応関係の適否を判定することができるようになるので、不正に磁気カードを取得したものを正規の者として認証することをより確実に防止できるようになる。
【００２２】
本発明に係る個人認証システムは、前記身体的特徴量検出手段が、磁気カードの読取り操作を行う者の重量を身体的特徴量として検出するようにし、予め定められた重量と記録領域との対応関係を登録対応関係として用いるように構成することができる。
【００２３】
このような構成により、比較的簡単に磁気カードの読取り操作を行う者の身体的特徴を量的に検出することができる。
【００２４】
また、本発明に係る個人認証システムは、前記記録領域検出手段が、ＩＤ情報と共に記録領域特定情報の記録された複数の記録領域を有する磁気カードのいずれかの記録領域から磁気カードリーダがＩＤ情報と共に読み取った記録領域特定情報に基づいてＩＤ情報の読み取られた記録領域が前記複数の記録領域のいずれであるかを検出するように構成することができる。
【００２５】
このような構成により、磁気カードの複数の記録領域のいずれかからＩＤ情報を磁気カードリーダにて読み取ったときにその記録領域に対する記録領域特定情報を得ることができるので、比較的簡単にＩＤ情報の読み取られた記録領域が前記複数の記録領域のいずれであるかを検出することができるようになる。
【００２６】
更に、本発明に係る個人認証システムは、前記ＩＤ情報取得手段が、磁気カードの両面に形成された複数の記録領域のいずれかの記録領域から磁気カードリーダが読み取ったＩＤ情報を取得するように構成することができる。
【００２７】
このような構成により、両面に複数の記録領域が形成された磁気カードを用いて個人認証を行うことができるようになる。
【００２８】
また、本発明に係る個人認証システムは、前記ＩＤ情報取得手段が、矩形状の磁気カードの表面の４辺のうちの２辺以上の辺に沿って形成された２以上の磁気ストライプのいずれかの磁気ストライプから磁気カードリーダが読み取ったＩＤ情報を取得するように構成することができる。
【００２９】
このような構成により、表面の４辺のうちの２辺以上の辺に沿って複数の記録領域となる磁気ストライプが形成された矩形状の磁気カードを用いて個人認証を行うことができるようになる。
【００３０】
また、更に、本発明に係る個人認証システムは、前記ＩＤ情報取得手段が、矩形状の磁気カードの両面の４辺に沿って形成された８つの磁気ストライプのいずれかの磁気ストライプから磁気カードリーダが読み取ったＩＤ情報を取得するように構成することができる。
【００３１】
このような構成により、両面の４辺に沿って８つの記録領域となる磁気ストライプが形成された矩形状の磁気カードを用いて個人認証を行うことができるようになる。
【００３２】
本発明に係る個人認証方法は、ＩＤ情報の記録された複数の記録領域を有する磁気カードのいずれかの記録領域から磁気カードリーダが読み取ったＩＤ情報を取得するＩＤ情報取得手順と、ＩＤ情報の読み取られた記録領域が前記複数の記録領域のいずれであるかを検出する記録領域検出手順と、磁気カードの読取り操作を行う者の身体的特徴量を検出する身体的特徴量検出手順と、前記身体的特徴量検出手順にて検出された身体的特徴量と記録領域との対応関係が予め定められた身体的特徴量と磁気カードの記録領域との対応関係である登録対応関係に合致するか否かを判定する判定手順とを有し、前記判定手順での判定結果と前記ＩＤ情報取得手順にて取得されたＩＤ情報とに基づいて個人認証を行うように構成される。
【００３３】
また、本発明に係る個人認証方法は、前記身体的特徴量検出手段にて検出された身体的特徴量と記録領域との関係が前記登録対応関係と合致するとの判定が前記判定手順にてなされたときに、前記ＩＤ情報取得手順にて取得されたＩＤ情報に基づいて個人認証を行うように構成することができる。
【００３４】
更に、本発明に係る個人認証方法は、前記登録対応関係が、登録ＩＤ情報に対応させて複数種類用意され、前記ＩＤ情報取得手順にて取得されたＩＤ情報が登録ＩＤ情報に一致するか否かを判定するＩＤ判定手順を有し、前記取得されたＩＤ情報が登録ＩＤ情報に一致するとの判定が前記ＩＤ判定手順にてなされたときに、前記取得されたＩＤ情報に一致する登録ＩＤ情報に対応した種類の登録対応関係を前記判定手順にて用いるように構成することができる。
【００３５】
また、前述した個人認証システムを用いた本発明に係るセキュリティシステムは、前述したいずれかの個人認証システムと、前記個人認証システムにおける個人認証の結果に応じて、施錠された錠を解錠するか否を制御する制御手段とを有するように構成される。
【００３６】
このような構成によれば、磁気カードの読取り操作を行った者が前述したいずれかの個人認証システムにより正規の者として認証されたときに、施錠された錠を解錠させることができるようになる。
【００３７】
また、本発明に係る磁気カードは、磁気カードリーダにてＩＤ情報の読取りのなされる磁気カードであって、同一のＩＤ情報が記録され、前記磁気カードリーダにて前記ＩＤ情報の読取り可能な複数の記録領域を有するように構成される。
【００３８】
このような構成によれば、ＩＤ情報と共にそのＩＤ情報を磁気カードリーダにて読み取らせる記録領域の違いに基づいて個人認証を行うことが可能となる。
【００３９】
更に、本発明に係る磁気カードは、両面に複数の記録領域が形成されるように構成することができる。
【００４０】
このような構成により、より多くの記録領域を形成した磁気カードを提供することができるようになる。
【００４１】
本発明に係る磁気カードは、矩形状となり、前記複数の記録領域が、表面の４辺のうちの２辺以上の辺に沿って形成された磁気ストライプとなるように構成することができる。
【００４２】
このような構成により、磁気カードの周辺部分を磁気カードリーダに通すことによりＩＤ情報の読取りが可能となるので、複数の記録領域（磁気ストライプ）のいずれからも比較的簡単な操作にてＩＤ情報を読み取ることが可能となる。
【００４３】
また、本発明に係る磁気カードは、矩形状となり、前記複数の記録領域が、両面の４辺に沿って形成された８つの磁気ストライプとなるように構成することができる。
【００４４】
このような構成により、より多くの記録領域（磁気ストライプ）のいずれからも比較的簡単な操作にてＩＤ情報を読み取ることが可能となる。
【００４５】
更に、本発明に係る磁気カードは、前記複数の記録領域のそれぞれに記録領域を特定するための情報が前記ＩＤ情報と共に記録されるように構成することができる。
【００４６】
このような構成により、複数の記録領域のいずれかから磁気カードリーダによってＩＤ情報を読み取る際に、その記録領域を特定するための情報を磁気カードリーダによって読み取ることができる。
【００４７】
【発明の実施の形態】
以下、本発明の実施の形態について、図面を用いて説明する。
【００４８】
本発明の第一の実施の形態に係るセキュリティシステムは、図１に示すように構成される。
【００４９】
図１において、このセキュリティシステムは、認証システム１０と、セキュリティを確保するための部屋の扉に設けられた電気錠３０とを有する。認証システム１０は、磁気カードリーダ１１、制御部１２、データ蓄積部１３、操作部１４及び重量計１５を有している。磁気カードリーダ１１は、電気錠３０が設けられた扉近傍の壁等に設置され、磁気カード２０の読取り操作がなされたときにその磁気カード２０に磁気的に記録されたＩＤ番号及び後述するような方向番号を読み取る。制御部１６は、磁気カードリーダ１１にて読み取られたＩＤ番号及び方向番号に基づいて認証処理を行う。データ蓄積部１３は、制御部１２での認証処理に必要な情報を蓄積する。操作部１４は、オペレータにより操作され、そのオペレータによる操作に基づいた情報を制御部１２に供給する。認証システム１０の制御部１２は、認証処理により得られた結果に基づいて施錠された電気錠３０の解錠制御を行う。
【００５０】
重量計１５は、磁気カードリーダ１１に対して磁気カード２０の読取り操作を行う者がその操作に際して位置する場所に設置され、その操作者の重量を測定する。この重量計１５にて測定された重量は制御部１２に供給される。なお、重量計１５は、磁気カード２０の読取り操作を行う者がその存在を認知できないように設置することが好ましい。
【００５１】
磁気カード２０は、図２に示すように、その表面及び裏面にＩＤ番号が磁気的に記録された複数の磁気ストライブを有する。即ち、矩形状となる磁気カード２０の表面には、図２（ａ）に示すように、その４辺に沿って、第一の磁気ストライプ２１、第二の磁気ストライプ２２、第三の磁気ストライプ２３及び第四の磁気ストライプ２４が形成されている。また、磁気カード２０の裏面にも、図２（ｂ）に示すように、その４辺に沿って第五の磁気ストライプ２５、第六の磁気ストライプ２６、第七の磁気ストライプ２７及び第八の磁気ストライプ２８が形成されている。
【００５２】
磁気カード２０の表面に形成された第一の磁気ストライプ２１、第二の磁気ストライプ２２、第三の磁気ストライプ２３及び第四の磁気ストライプ２４には、磁気カードリーダ１１にそれぞれ方向Ｄ１、Ｄ２、Ｄ３及びＤ４にスライドさせた際に正常に読み取られるようにＩＤ番号が記録されると共にその読取り方向を特定する方向番号が記録されている。例えば、第一の磁気ストライプ２１には読取り方向Ｄ１を特定する方向番号「１」が、第二の磁気ストライプ２２には読取り方向Ｄ２を特定する方向番号「２」が、第三の磁気ストライプ２３には読取り方向Ｄ３を特定する方向番号「３」が、第四の磁気ストライプ２４には読取り方向Ｄ４を特定する方向番号「４」が、それぞれ記録されている。
【００５３】
また、磁気カード２０の裏面に形成された第五の磁気ストライプ２５、第六の磁気ストライプ２６、第七の磁気ストライプ２７及び第八の磁気ストライプ２８には、磁気カードリーダ１１にそれぞれ方向Ｄ５、Ｄ６、Ｄ７及びＤ８にスライドさせた際に正常に読み取られるようにＩＤ番号が記録されると共にその読取り方向を特定する方向番号が記録されている。たとえば、第五の磁気ストライプ２５には読取り方向Ｄ５を特定する方向番号「５」が、第六の磁気ストライプ２６には読取り方向Ｄ６を特定する方向番号「６」が、第七の磁気ストライプ２７には読取り方向Ｄ７を特定する方向番号「７」が、第八の磁気ストライプ２８には読取り方向Ｄ８を特定する方向番号「８」が、それぞれ記録されている。
【００５４】
前記各磁気ストライプ２１〜２８から正常にＩＤ番号を読み取るための読取り方向はそれぞれ異なることから、前記各読み取り方向を特定する方向番号は、結果として、ＩＤ番号の記録領域となる磁気ストライプを特定することになる。
【００５５】
データ蓄積部１３は、図３に示すような登録対応関係テーブルを格納する。この登録対応関係テーブルは、重量と前記磁気カード２０の読取り方向との対応関係、即ち、重量と磁気ストライプとの対応関係（以下、必要に応じて登録対応関係という）を表す。この登録対応関係を構成する各情報（重量範囲、方向番号）は、操作部１４から入力されると、制御部１２に供給される。そして、制御部１２は、操作部１４からの各入力情報に基づいてデータ蓄積部１３に前記登録対応テーブルを作成する。
【００５６】
また、登録すべきＩＤ番号が操作部１４から入力されると、そのＩＤ番号が制御部１２を介してデータ蓄積部１３に供給され、データ蓄積部１３は、そのＩＤ番号を登録ＩＤ番号として格納（登録）する。
【００５７】
制御部１２は、図４に示す手順に従って処理を行う。
【００５８】
図４において、制御部１２は、磁気カードリーダ１１によって読み取られるＩＤ番号及び方向番号の入力待ち状態にある（Ｓ１）。電気錠３０の解錠を希望する者は、所持する磁気カード２０に形成された複数の磁気ストライプ２１〜２８のいずれかを磁気カードリーダ１１に通してその読み取り操作を行う。すると、磁気カードリーダ１１は、磁気カード２０の磁気ストライプから読み取ったＩＤ番号と方向番号を制御部１２に供給する。
【００５９】
前述したようにＩＤ番号及び方向番号の入力待ち状態にある制御部１２は、磁気カードリーダ１１から読み取ったＩＤ番号及び方向番号を取得すると（Ｓ１でＹＥＳ）、重量計１５に重量測定の要求を行い（Ｓ２）、その測定重量の入力待ち状態となる（Ｓ３）。制御部１２から重量測定の要求を受けた重量計１５は、前記磁気カード２０の操作を行った者の重量を測定し、その測定重量値を制御部１２に送る。測定重量の入力待ち状態となる制御部１２は、重量計１５から測定重量値を入力すると（Ｓ３でＹＥＳ）、データ蓄積部１３に格納された登録対応関係テーブル（図３参照）を参照して前記入力した測定重量値が属する重量範囲に対応した磁気カード２０の読取り方向を表す方向番号を検索する（Ｓ４）。
【００６０】
更に、制御部１２は、その検索の結果得られた方向番号と前述したように磁気カードリーダ１１から取得した方向番号とを比較し（Ｓ５）、それらの方向番号が一致するか否かを判定する（Ｓ６）。それらの方向番号が一致したとの判定がなされると（Ｓ６でＹＥＳ）、前記測定重量値と磁気カード２０から読み取られた方向番号との対応関係が前記登録対応関係に合致するとして、制御部１２は、磁気カードリーダ１１から取得した前記ＩＤ番号に基づいて個人認証を行う。即ち、制御部１２は、磁気カードリーダ１１から取得したＩＤ番号とデータ蓄積部１３に格納された登録ＩＤ番号とを比較し（Ｓ７）、それらのＩＤ番号が一致するか否かを判定する（Ｓ８）。そして、それらのＩＤ番号が一致するとの判定がなされると（Ｓ８でＹＥＳ）、制御部１２は、前記磁気カード２０の読取り操作を行った者を正規の者として認証し、施錠された電気錠３０に対して解錠制御信号を出力する（Ｓ９）。その結果、施錠された電気錠３０が解錠される。
【００６１】
一方、登録対応関係テーブルから得られる測定重量値が属する重量範囲に対応した方向番号と磁気カードリーダ１１から得られた方向番号とが一致しないとの判定がなされると（Ｓ６でＮＯ）、前記測定重量値と磁気カード２０から読み取られた方向番号との対応関係が前記登録対応関係に合致しないとして、制御部１２は、警告メッセージの出力等、解錠拒否に係る所定の処理を行う（ＮＧ）。これにより、電気錠３０の解錠はなされない。
【００６２】
正規の磁気カード２０の所持者は、前記登録対応関係（図３参照）にて決まる自己の重量（体重、身に着けている物の重量を含む）に対応した磁気カード２０の読取り方向（方向番号により特定）、即ち、ＩＤ番号を読み取らせるべき正規の磁気ストライプを知っている。従って、正規の磁気カード２０の所持者は、読取り方向を確認してそのような正規の磁気ストライプからＩＤ番号を読み取らせるように磁気カードリーダ１１に磁気カード２０を通すことができる。このような磁気カード２０の読取り操作に対する前述したような認証システム１０での処理（図４参照）により、磁気カード２０の正規の所持者は、正規の者としての認証を受けて施錠された電気錠３０の解錠を行うことができる。
【００６３】
一方、磁気カード２０の不正所持者は、前記登録対応関係にて決まる自己の重量に対応した磁気カード２０の読取り方向、即ちＩＤ番号を読み取らせるべき正規の磁気ストライプを知りえない。従って、磁気カード２０の不正所持者が磁気カード２０表面の印刷等から一般的に想定される磁気ストライプからＩＤ番号を読み取らせるように磁気カード２０を磁気カードリーダ１１に通しても、その磁気ストライプから磁気カードリーダ１１にて読み取られる方向番号と不正所持者の測定重量値との対応関係は多くの場合前記登録対応関係に合致せず、電気錠３０の解錠を行うことはできない。
【００６４】
また、不正者が、磁気カード２０の正規の所持者が行う操作を盗み見して磁気カードリーダ１１に通す磁気ストライプを知った後に、その磁気カード２０を不正に入手することが考えられる。このような場合であっても、その不正者の重量が属する重量範囲と磁気カード２０の正規の所持者の重量が属する重量範囲が異なれば、その不正者に対して正規の者であるとの認証はなされない。
【００６５】
従って、前述したようなシステムでは、磁気カードを不正に入手した者を正規の者と認証することをより確実に防止できるようになり、電気錠３０の設けられた扉内の空間の人的セキュリティ性をより高く保つことが可能となる。
【００６６】
なお、図４に示す処理において、磁気カードリーダ１１から取得したＩＤ番号と同じ登録ＩＤ番号が存在しないとの判定がなされた場合（Ｓ８でＮＯ）、制御部１２は、磁気カード２０の磁気カードリーダ１１に対する読取り操作を行った者の正規の者としての認証を行うことなく、警告メッセージの出力等、解錠拒否に係る所定の処理を行う（ＮＧ）。
【００６７】
次に、本発明の第二の実施の形態に係るセキュリティシステムについて説明する。この第二の実施の形態に係るセキュリティシステムは、重量と磁気カード２０の読取り方向との対応関係である登録対応関係を登録ＩＤ番号に応じて複数種類備える点で、前記第一の実施の形態に係るセキュリティシステムと相違する。
【００６８】
本発明の第二の実施の形態に係るセキュリティシステムは、第一の実施の形態と同様に、図１に示すよう構成される。また、このセキュリティシステムにおいて用いられる磁気カード２０には、第一の実施の形態と同様に、ＩＤ番号及び方向番号が記録された複数の磁気ストライプ２１〜２８が図２に示すように形成されている。
【００６９】
このような構成のセキュリティシステムにおける認証システム１０のデータ蓄積部１３は、図５に示すような登録対応関係テーブルを格納している。この登録対応関係テーブルには、重量と磁気カード２０の読取り方向との対応関係、即ち、重量と磁気ストライプとの対応関係である登録対応関係が登録ＩＤ番号に応じて複数種類設定されている。この場合、ＩＤ番号が登録される毎に、その登録ＩＤ番号に対応する各重量範囲と読取り方向番号との対応関係（登録対応関係）が決められ、その登録ＩＤ番号とそれに対応する登録対応関係が操作部１４から入力される。その操作部１４から入力された登録ＩＤ情報と登録対応関係が制御部１２を介してデータ蓄積部１３の登録対応関係テーブルに追加される。
【００７０】
制御部１２は、図６に示す手順に従って処理を行う。
【００７１】
図６において、制御部１２は、磁気カードリーダ１１によって読み取られるＩＤ番号及び方向番号の入力待ち状態にある（Ｓ１１）。この状態で、制御部１２は、磁気カードリーダ１１から読み取ったＩＤ番号及び方向番号を取得すると（Ｓ１１でＹＥＳ）、取得したＩＤ番号とデータ蓄積部１３に格納される前記登録対応関係テーブルにセットされた登録ＩＤ番号とを比較して（Ｓ１２）、それらのＩＤ番号が一致するか否かの判定を行う（Ｓ１３）。そして、それらのＩＤ番号が一致するとの判定がなされると（Ｓ１３でＹＥＳ）、制御部１２は、重量計１５に重量測定の要求を行い（Ｓ１４）、その測定重量の入力待ち状態となる（Ｓ１５）。
【００７２】
この状態で、制御部１２は、前記重量測定の要求に応答して重量計１５から送られてくる磁気カード２０の読取り操作を行った者の測定重量値を入力すると（Ｓ１５でＹＥＳ）、図５に示すような登録関係テーブルを参照して、前記取得したＩＤ番号と一致する登録ＩＤ番号に対応した各重量範囲と方向番号との対応関係である登録対応関係を特定する（Ｓ１６）。そして、制御部１２は、特定した登録対応関係において前記測定重量値の属する重量範囲に対応した磁気カード２０の読取り方向を表す方向番号を検索する（Ｓ１７）。制御部１２は、更に、その検索の結果得られた方向番号と磁気カードリーダ１１から取得した方向番号とを比較し（Ｓ１８）、それらの方向番号が一致するか否かを判定する（Ｓ１９）。それらの番号が一致したとの判定がなされると（Ｓ１９でＹＥＳ）、前記測定重量値と磁気カード２０から読み取られた方向番号との対応関係が前記登録対応関係に合致するとして、制御部１２は、前記磁気カード２０の読取り操作を行った者を正規の者として認証し、施錠された電気錠３０に対して解錠制御信号を出力する（Ｓ２０）。その結果、施錠された電気錠３０が解錠される。
【００７３】
一方、前記磁気カードリーダ１１から取得したＩＤ番号と登録ＩＤ番号が一致するとの判定がなされた場合であっても（Ｓ１３でＹＥＳ）、その登録ＩＤ番号に対応して定められた登録対応関係から得られる測定重量値に対応した方向番号と磁気カードリーダ１１から得られた方向番号とが一致しないとの判定がなされると（Ｓ１９でＮＯ）、前記測定重量値と磁気カード２０から読み取られた方向番号との対応関係が前記登録対応関係に合致していないとして、制御部１２は、警告メッセージの出力等、解錠拒否に係る所定の処理を行う（ＮＧ）。これにより、電気錠３０の解錠はなされない。
【００７４】
前述したような本発明の第二の実施の形態によれば、前記第一の実施の形態と同様に、前記登録対応関係（図５参照）にて決まる自己の重量に対応した磁気カード２０の読取り方向（方向番号により特定）、即ち、ＩＤ番号を読み取らせるべき正規の磁気ストライプを知っている磁気カード２０の正規の所持者は、確実に正規の者としての認証を受けることができる一方、磁気カード２０の不正所持者が正規の者としての認証を受けることは困難となる。更に、個々人が所有する磁気カード２０に記録されたＩＤ番号（登録ＩＤ番号）に応じて適用される登録対応関係（重量と方向番号との対応関係）が異なるので、電気錠３０を解錠するためになされる磁気カード２０の多くの操作を観察したとしても、不正に入手した磁気カード２０の正規の読取り方向（正規の磁気ストライプ）を特定することは更に困難になる。従って、更にセキュリティ性の高いセキュリティシステムを実現することが可能となる。
【００７５】
なお、図６に示す処理において、磁気カードリーダ１１から取得したＩＤ番号が登録ＩＤ番号と一致しないとの判定がなされたときには（Ｓ１３にてＮＯ）、制御部１２は、操作者の測定重量値と磁気カードリーダ１１から取得した方向番号との対応関係と登録対応関係との比較を行うことなく、警告メッセージの出力等、解錠拒否に係る所定の処理を行う（ＮＧ）。
【００７６】
また、前述した各実施の形態では、磁気カード２０の読取り操作を行う者の重量を身体的特徴量として検出するようにし、重量と磁気カード２０の磁気ストライプを特定する方向番号との対応関係を登録対応関係として予め定めるようにしているが、本発明は、このような態様に限定されない。例えば、磁気カード２０の操作を行う者を撮影して得られる映像からその者の身長、肩幅等を検出するようにし、身長や肩幅等と磁気カード２０の磁気ストライプとの対応関係を登録対応関係として定めることもできる。更に、例えば、磁気カード２０の操作を行うも者の足元を撮影して得られる映像からその者の足（靴）の大きさを検出するようにし、足の大きさと磁気カード２０の磁気ストライプとの対応関係を登録対応関係として定めることもできる。
【００７７】
また、本発明に係る個人認証システムは、磁気カード２０の操作を行う者の身体的特徴量を測定するために特別な動作（操作）が必要になるシステムであってもよい。この場合、例えば、指（例えば、人差し指）を測定器にセットしてその長さを測定するようにし、指の長さと磁気カード２０の磁気ストライプとの対応応関係を登録対応関係として定めることもできる。
【００７８】
更に、前述した各実施の形態では、磁気ストライプからＩＤ番号と共に読み取られる方向番号に基づいてＩＤ番号が読み取られた磁気ストライプ（記録領域）を検出するようにしているが、本発明はこのような態様に限定されない。例えば、磁気カード２０の各磁気ストライプまたその近傍に各磁気ストライプの位置を特定するマークを設けておき、そのマークを光学的、機械的、あるいは電気的に検出することによりＩＤ番号が読み取られた磁気ストライプを検出するようにすることもできる。
【００７９】
また、磁気カード２０に設ける磁気ストライプ（ＩＤ情報の記録領域）の数は、前述した各実施の形態のように８つに限定されない。磁気カード２０の片面だけに２つ以上の磁気ストライプを設けるようにしても、磁気カード２０の両面のそれぞれに設けられる磁気ストライプの数が３つ以下であってもよい。
【００８０】
【発明の効果】
以上、説明したように、本願発明によれば、予め定められた身体的特徴量と磁気カードの記録領域との対応関係（登録対応関係）にて決まる自己の身体的特徴量に対応した記録領域を知っている者は、その記録領域からＩＤ情報を読み取るための操作を行うことにより正規の者として認証される一方、前記登録対応関係にて決まる記録領域を知らない磁気カードの不正所持者は、そのような記録領域からＩＤ情報を読み取るための操作を確実に行うことができないので、正規の者として確実には認証されることはない。従って、磁気カードを不正に入手した者を正規の者と認証することをより確実に防止できるようにした個人認証方法及びシステムを提供することができる。
【００８１】
また、本願発明によれば、前記個人認証システムが適用されるセキュリティシステムを提供することができる。
【００８２】
更に、本願発明によれば、前記個人認証システムに適用することのできる磁気カードを提供することができる。
【図面の簡単な説明】
【図１】本発明の実施の形態に係るセキュリティシステムの構成を示すブロック図
【図２】磁気カードに形成される磁気ストライプの構成を示す図
【図３】登録対応関係テーブルの一例を示す図
【図４】図１に示すシステムにおける制御部での処理手順の一例を示すフローチャート
【図５】登録対応関係テーブルの他の例を示す図
【図６】制御部での処理手順の他の例を示すフローチャート
【符号の説明】
１０　認証システム
１１　磁気カードリーダ
１２　制御部
１３　データ蓄積部
１４　操作部
１５　重量計
２０　磁気カード
３０　電気錠
【図１】
2004145438.tif 000003
【図２】
2004145438.tif 000004
【図３】
2004145438.tif 000005
【図４】
2004145438.tif 000006
【図５】
2004145438.tif 000007
【図６】
2004145438.tif 000008